(57)【要約】【課題】  排水桝の上部を切断してこれに相当する上部桝を取り替えるだけでは、排水桝と床版の取り合い部は、必ずしも水密ではないので透水舗装である表層を経た防水シート上の雨水等は、排水桝の壁体に遮られて、排水桝と床版の取り合い部より漏水する。【解決手段】  壁体下方に沿って外側に突出した排水誘導片を形成するとともに内側に目皿又はスクリーン載置部を形成し、かつ、排水誘導片を形成した壁体に排水誘導片の縁部から上方にかけて排水窓を形成した上部桝と上部桝の目皿又はスクリーン載置部に載置される目皿又はスクリーンとからなる取り替え用上部排水桝を提供する。この上部排水桝を用いることにより、防水シートを床版上面から排水誘導片の内側縁部まで敷設することができるので、床版と排水桝の取り合い部からの漏水は防止できる。【選択図】  図１
2006183252.tif 000002
【特許請求の範囲】
【請求項１】
壁体下方に沿って外側に突出した排水誘導片を形成するとともに内側に目皿又はスクリーン載置部を形成し、かつ、排水誘導片を形成した壁体に排水誘導片の縁部から上方にかけて排水窓を形成した上部桝と上部桝の目皿又はスクリーン載置部に載置される目皿又はスクリーンとからなることを特徴とする取り替え用上部排水桝。
【請求項２】
壁体下方に沿って外側に突出した排水誘導片を形成するとともに下方内側に目皿又はスクリーン載置部を形成し、かつ、排水誘導片を形成した壁体に排水誘導片の縁部から上方にかけて排水窓を形成した上部桝に、上部桝の排水窓と連続する通水部を有して上部桝の目皿又はスクリーン載置部に載置される目皿又はスクリーンとからなることを特徴とする取り替え用上部排水桝。
【請求項３】
埋設されている排水桝の周囲の床版を所定の深さまではつり、既設排水桝の上部を床版天端位置以下から切断して除去し、その上に、壁体下方に沿って外側に突出した排水誘導片を形成するとともに内側に目皿又はスクリーン載置部を形成し、かつ、排水誘導片を形成した壁体に排水誘導片の縁部から上方にかけて排水窓を形成した上部桝を載置するとともに排水誘導片に取り付けたボルト・アンカー鉄筋・型鋼を床版はつり部に位置させて、上部桝の排水誘導片の端部が床版の天端と面一又は以下になる位置で埋設することを特徴とする上部排水桝の取り替え方法。
【発明の詳細な説明】
【技術分野】
【０００１】
本発明は、高架道路、河川、渓谷等における道路構造物に設置される排水桝上部の取り替え用上部排水桝及び上部排水桝の取り替え方法に関する。
【背景技術】
【０００２】
一般に、道路構造物に設置される排水桝は、表層を透水性舗装とする場合、図３に示すように本体１、本体の載置部に載置される目皿又はスクリーン２、排水管３とからなり、床版２１の上方の壁体１ａに床版２１を流れる水の排水用の小孔１ｅが形成され、目皿又はスクリーン２には集水穴２ａが形成されている。
【０００３】
また、道路構造物は、通常、同じく図３に示すように床版２１の上に防水シート２２を敷設するとともに、その上に基層２３、表層２４が敷設してある。１ｃは落し口であり、配水管に接続される。
【０００４】
このようにして設置された排水桝は、車輌の通過の載荷重により変形したり、損傷したりすることがある。変形や損傷は排水桝の上部に多く見られる。また、特に排水性舗装の場合小径の排水孔であるため、排水性能に限界があり路面の滞水が発生し、車輌の繰り返し通過により舗装材が飛散している。
【０００５】
そこで、排水桝全体を取り替えるのは、経済的に不利であるため、排水桝のまわりをはつり、はつり部９を形成し、本体１の壁体１ａを床版２１の天端より上の位置から切断し、この上に同型の上部桝を接続する方法が用いられている。
【０００６】
上述のようにして設置された排水桝の問題点は、床版２１に敷設された防水シート２２は、排水桝上部が床版天端より上で切断されているため、排水桝の壁体１ａで縁切れとなってしまう。又はコンクリートを打ち直し時に小孔１ｅが床版より上に位置してしまうため、透水性舗装からなる表層２４を用いて表層上の雨水を防水シート２２上に落しても雨水等は、道路構造物の壁体１ａに遮られ、排水桝本体１と床版２１の取り合い部より漏水が発生する。
【０００７】
出願人は、この問題点を解決するため、先に特願２００３−３３７９２５を提案した。  
【特許文献１】特願２００３−３３７９２５
【発明の開示】
【発明が解決しようとする課題】
【０００８】
先に示した問題点は、排水桝を天端より上の位置から切断し、この上に同型の上部桝を接続する上部排水桝の取り替え方法においても共通する。
【０００９】
すなわち、道路構造物に設置する排水桝において、透水性舗装である表層を経た防水シート上の雨水等が壁体に遮られて、排水桝と床版の取り合い部より漏水するという課題を有する。
【００１０】
本発明は、このような課題を以下述べるところにより解決しようとするものである。
【課題を解決するための手段】
【００１１】
本発明は、上記課題を解決するためつぎの手段を提供する。
【００１２】
第一に、壁体下方に沿って外側に突出した排水誘導片を形成するとともに内側に目皿又はスクリーン載置部を形成し、かつ、排水誘導片を形成した壁体に排水誘導片の縁部から上方にかけて排水窓を形成した上部桝と上部桝の目皿又はスクリーン載置部に載置される目皿又はスクリーンとからなることを特徴とする取り替え用上部排水桝を提供する。
【００１３】
第二に、壁体下方に沿って外側に突出した排水誘導片を形成するとともに下方内側に目皿又はスクリーン載置部を形成し、かつ、排水誘導片を形成した壁体に排水誘導片の縁部から上方にかけて排水窓を形成した上部桝に、上部桝の排水窓と連続する通水部を有して上部桝の目皿又はスクリーン載置部に載置される目皿又はスクリーンとからなることを特徴とする取り替え用上部排水桝を提供する。
【００１４】
第三に、埋設されている排水桝の周囲の床版を所定の深さまではつり、既設排水桝の上部を床版天端位置以下から切断して除去し、その上に、壁体下方に沿って外側に突出した排水誘導片を形成するとともに内側に目皿又はスクリーン載置部を形成し、かつ、排水誘導片を形成した壁体に排水誘導片の縁部から上方にかけて排水窓を形成した上部桝を載置するとともに排水誘導片に取り付けたボルト・アンカー鉄筋・型鋼等を床版はつり部に位置させて、上部桝の排水誘導片の端部が床版の天端と面一又は以下になる位置で埋設することを特徴とする上部排水桝の取り替え方法を提供する。
【発明の効果】
【００１５】
本発明は上述のようにしてなるので、つぎの効果を有する。
【００１６】
請求項１及び２において、本発明は、上部桝の壁体下方に沿って突出した誘導片を一体に形成し、かつ、排水誘導片を形成した壁体に排水誘導片から上方にかけて排水窓を形成したので、既設排水桝を床版天端以下で切断して除去した後に、排水誘導片が床版天端と面一又は以下になるように設置することができ、床版上面から上部桝に設置した排水誘導片まで防水シートを敷設することができる。
【００１７】
請求項３において、既設排水桝を床版天端で切断して除去した後に、上部桝を載置するとともに床版はつり部に排水誘導片に取り付けたボルトを位置させることにより排水誘導片と床版天端との位置合せを容易にし、かつ、コンクリートを打設することにより上部桝が安定的に固定する。
【００１８】
請求項１乃至３において、排水桝を設置した後、床版天端から誘導片まで防水シートを敷設することができるので、透水性舗装を通して防水シートに落ちた水は、排水窓に確実に導かれ、床版と排水桝の取り合い部から漏水することなく、確実な排水を可能にする。
【発明を実施するための最良の形態】
【００１９】
本発明を実施するための最良の形態を図面に基き説明する。
【００２０】
図１は、本発明に係る取り替え用上部排水桝の分解斜視図である。
【００２１】
本発明に係る取り替え用上部排水桝は、後述するように、床版の天端以下で切断された既設の排水桝本体１の上部に相当する上部桝１１とこの上部桝１１の蓋部である目皿又はスクリーン２とからなる。上部桝１１及び目皿又はスクリーン２は、いずれも鋼製である。
【００２２】
上部桝１１は、後述する既設排水桝本体１の下部桝１２切断面より大きな下端面を有し、その壁体１ａ下方外側は突出して排水誘導片４が鋳造により一体に形成されてなる。
【００２３】
排水誘導片４は、誘導面が平面からなり外側から内側にかけて下方に向けて傾斜する平板で形成され、壁体１ａには排水誘導片４の内側縁部から上方にかけて排水窓１ｂが開口され、排水誘導片４には下面の四隅のそれぞれに回動自在に取り付けボルト６が必要に応じて螺着されている。ボルト６の代りにアンカー鉄筋、型鋼を取り付けてもよい。
【００２４】
排水窓１ｂは、壁体１ａの高さ２分の１程度の大口に開口し、上方を上に凸の弧状形に形成した。
【００２５】
取り付けボルト６は、後述する既設の排水桝本体１の上部を切断した後の下部桝１２に、上部桝１１を載置し床版２１のはつり部に位置させ、かつ、はつり部にコンクリートを打設したときの固定用である。ボルト６を使用すると上部桝の上下微調整が可能となる。
【００２６】
上部桝１１の底部には、一つの対向する両辺に目皿又はスクリーン２を載置する載置部７が溶接等により取り付けてある。排水誘導片４と載置部７とは一体に形成し、壁体１ａを取り付けてもよい。
【００２７】
目皿又はスクリーン２は上部桝１１の底部に形成された載置部７に載置されて、上端が上部桝１１の上端にほぼ面一となる立方体状に形成されている。
【００２８】
この実施例では、一方の向い合う壁体８ｄを上部桝１１の目皿又はスクリーン載置部７に接する一対の平行するゴムパッキン８ａと鋼板８ｂとを重ねた板材８ｃ両端に補強板とともに架け渡して溶接等により取り付けるとともに他方の向い合う壁体８ｄを一方の壁体８ｄの両端に架け渡して溶接等により取り付けてある。ここで、他方の向い合う壁体は、一方の壁体８ｄに比し、上方方向２分の１程度の寸法としてあり、下方空間９ｂは、床版２１上を流れる水の流水口となる。８ｅは内部に縦横に適宜配置して溶接等により取り付けた補強板である。
【００２９】
なお、壁体１ａは、目皿又はスクリーン２が上部桝１１に載置されたとき、上部桝１１の排水窓１ｂからの流水を妨げることのない構造のものであればよく、この実施例では、目皿又はスクリーン２が上部桝１１の載置部７に載置されたとき、形成される対向する板材８ｃ間の空間９ａと板材８ｃ上の空間９ｂによって流水口は確保される。また、目皿又はスクリーンとして通常のグレーチングを上部桝の上部で受けるものであっても良いことはもちろんである。
【００３０】
かくして、上部桝１１と上部桝１１の目皿又はスクリーン受けに載置される目皿又はスクリーン２とからなる取り替え用上部排水桝が形成される。
【００３１】
図２は、上部排水桝の取り替え方法を示す断面図である。
【００３２】
埋設されている既設排水桝の周囲を床版２１の天端以下までの所定の深さまではつり、既設排水桝の上部を床版天端以下から切断して除去する。既設排水桝の上部の切断位置は、上述の上部桝１１を上部を切断して埋設されている下部桝１２に載置したとき、上部桝１１の壁体１ａの下方に沿って外側に突出した排水誘導片４が床版２１の天端とほぼ面一になる高さ部分である。
【００３３】
既設排水桝の上部を切断した後は、埋設されている下部桝１２に上述した上部桝１１を載置するとともに上部桝１１の排水誘導片４の下面に螺着した取り付けボルト６をはつり部９に位置させる。既設排水桝の周囲の床版２１のはつり部９の深さは、この排水誘導片４の下面に螺着した取り付けボルト６のボルト頭６ａが底に接する程度までの深さがよい。取り付けボルト６の代りにアンカー鉄筋、型鋼を用いることができる。
【００３４】
下部桝１２に上部桝１１を載置した後は必要に応じて取り付けボルト６を回動させて高さ調整を行う。その後このはつり部９にコンクリートを打設する。
【００３５】
かくして、既設排水桝の上部を予め形成した上部桝１１をもって取り替える工程は終了する。ここで、目皿又はスクリーン２の上部桝１１の載置部への載置はいつ行っても良い。
【００３６】
既設排水桝の上部を上部桝１１をもって取り替えた後は、床版２１の上面から排水誘導片４の内側縁部まで面なりに防水シート２２が敷設され、ついで基層２３、表層２４が順次敷設される。
【００３７】
なお、本発明は、上述の実施例に限定されるものでないことはもちろんである。
【図面の簡単な説明】
【００３８】
【図１】本発明の取り替え用上部排水桝の一例を示す分解斜視図である。
【図２】本発明の上部排水桝の取り替え方法の一例を示す断面図である。
【図３】設置されている排水桝の従来例を示す断面図である。
【符号の説明】
【００３９】
１    排水桝本体
１ａ  壁体
１ｂ  排水窓
２    目皿又はスクリーン
３    排水管
４    排水誘導片
６    取り付けボルト
７    載置部
８ａ  ゴムパッキン
８ｂ  鋼板
８ｃ  板材
８ｄ  壁体
８ｅ  補強板
９    はつり部
９ａ  空間
９ｂ  空間
１１  上部桝
１２  下部桝
２１  床版
２２  防水シート
２３  基層
２４  表層
【図１】
2006183252.tif 000003
【図２】
2006183252.tif 000004
【図３】
2006183252.tif 000005